(57)【特許請求の範囲】
【請求項１】
熱交換器および送風機を内蔵し吊り金具を具備する複数個のユニット構成体と、前記吊り金具が固着されて前記複数個のユニット構成体を連結する連結部材と、前記複数個のユニット構成体を収納し天井に設置される外板体と、吸込口および吹出口が形成された化粧パネルとを備える天井カセット形空気調和機。
【請求項２】
熱交換器および送風機を内蔵し第１吊り金具を具備する複数個のユニット構成体と、端部に第２吊り金具が形成され、前記第１吊り金具が固着されて前記複数個のユニット構成体を連結する連結部材と、前記複数個のユニット構成体を収納し前記第２吊り金具にて天井に設置される外板体と、吸込口および吹出口が形成された化粧パネルとを備える天井カセット形空気調和機。
【請求項３】
熱交換器および送風機を内蔵したユニット構成体に設けられた吊り金具が固着されて複数個の前記ユニット構成体を連結する連結部材と、前記複数個のユニット構成体を収納し天井に設置される外板体と、吸込口および吹出口が形成された化粧パネルとを備える天井カセット形空気調和機のケーシング。
【請求項４】
熱交換器および送風機を内蔵したユニット構成体に設けられた第１吊り金具が固着されて複数個の前記ユニット構成体を連結すると共に端部に第２吊り金具が形成された連結部材と、前記複数個のユニット構成体を収納し前記第２吊り金具にて天井に設置される外板体と、吸込口および吹出口が形成された化粧パネルとを備える天井カセット形空気調和機のケーシング。
【発明の詳細な説明】
【０００１】
【発明の属する技術分野】
本発明は、天井カセット形空気調和機およびそのケーシングに関する。
【０００２】
【従来の技術】
一般に、天井に設置される天井カセット形空気調和機は知られている。近年、この種の天井カセット形空気調和機では室内ユニットの大容量化が趨勢になっている。
【０００３】
【発明が解決しようとする課題】
しかしながら、大容量の室内ユニットを新たに開発するとなれば、熱交換器、ファン等新規な部品が必要となり、開発期間が長くなると共に多種の容量の室内ユニットを生産するにあたり部品管理が煩雑になるという問題がある。また、室内ユニットの大容量化に伴い、外形寸法が大型化し、重量も重くなるので取り扱いが困難になり、特に輸送が困難になるという問題がある。
【０００４】
そこで、本発明の目的は、上記課題を解消するために、簡単な構成でユニットの大容量化を図ることができる天井カセット形空気調和機およびそのケーシングを提供することにある。
【０００５】
【課題を解決するための手段】
本発明の天井カセット形空気調和機は、熱交換器および送風機を内蔵し吊り金具を具備する複数個のユニット構成体と、前記吊り金具が固着されて前記複数個のユニット構成体を連結する連結部材と、前記複数個のユニット構成体を収納し天井に設置される外板体と、吸込口および吹出口が形成された化粧パネルとを備える。
【０００６】
本発明によれば、天井カセット形空気調和機は、ユニット構成体の吊り金具を連結部材に固着して複数のユニット構成体を連結した後、外板体に収納することで構成できる。この場合、ユニット構成体に容量の小さい既存の天井カセット形室内ユニットを利用することにより、室内ユニットの大容量化が簡単に達成される。これによれば大容量の室内ユニットの製品開発に当たって、部品の共通化が図られ、開発期間を短縮することができると共に部品管理が容易となる。
【０００７】
また、本発明の天井カセット形空気調和機は、熱交換器および送風機を内蔵し第１吊り金具を具備する複数個のユニット構成体と、端部に第２吊り金具が形成され、前記第１吊り金具が固着されて前記複数個のユニット構成体を連結する連結部材と、前記複数個のユニット構成体を収納し前記第２吊り金具にて天井に設置される外板体と、吸込口および吹出口が形成された化粧パネルとを備える構成としても良い。
【０００８】
また、本発明の天井カセット形空気調和機のケーシングは、熱交換器および送風機を内蔵したユニット構成体に設けられた吊り金具が固着されて複数個の前記ユニット構成体を連結する連結部材と、前記複数個のユニット構成体を収納し天井に設置される外板体と、吸込口および吹出口が形成された化粧パネルとを備える。
また、本発明の天井カセット形空気調和機のケーシングは、熱交換器および送風機を内蔵したユニット構成体に設けられた第１吊り金具が固着されて複数個の前記ユニット構成体を連結すると共に端部に第２吊り金具が形成された連結部材と、前記複数個のユニット構成体を収納し前記第２吊り金具にて天井に設置される外板体と、吸込口および吹出口が形成された化粧パネルとを備える構成としても良い。
【０００９】
【発明の実施の形態】
以下、本発明の一実施の形態を添付図面に従って説明する。
【００１０】
図１において、符号１は大容量（例えば１０馬力）の天井カセット形空気調和機（以下室内ユニットという）を示している。この室内ユニット１はケーシング３に夫々が単独で天井カセット形の室内ユニットとして動作可能な２つの同一の５馬力のユニット構成体５を収納して構成されている。２つのユニット構成体５，５は重量バランスを考慮してケーシング３内に点対称に配置される。
【００１１】
各ユニット構成体５は図７に示すように、ケーシング１１を備え、このケーシング１１内には、ファンモータ２４及びターボファン２６とからなる送風機とこれを囲むようにほぼ矩形状に曲げて形成された熱交換器３８と電装箱３６とが収容されている。熱交換器３８は、管板４９，４９間が仕切り板２８によって仕切られ、この仕切り板２８で仕切られた熱交換器３８の外側の空間５６には、ドレンポンプ３０、ドレン排水口３２、冷媒配管３４等が収容されている。熱交換器８の下面には図示しないドレンパンが配設され熱交換器８から滴下したドレン水が溜められる。ドレンパンに溜まったドレン水はドレンポンプ３０の駆動によりドレン排水口３２より排出される。
【００１２】
ユニット構成体５は、ターボファン２６によって吸い込まれる室内の空気が当該ターボファン２６の遠心力により周囲に吐出され、熱交換器３８を経て熱交換された後に、四方の吹出口１８から吹き出されるよう構成されている。本実施形態においては各ユニット構成体５の吹出口１８のうち、中央に位置する吹出口１８Ａは塞がれて調和空気が吹き出されないようになされている。
【００１３】
各ユニット構成体５のケーシング１１の４隅部には、吊り金具４４が止着されている。この吊り金具４４は、ユニット構成体５が単独で天井カセット形の室内ユニットとして使用される場合には、天井からの吊りボルト（図示せず）に引っ掛けて、ユニット構成体５を天井に設置するために使用される。
【００１４】
図１乃至図３に示すように、ケーシング３はＬ字形の２本のアングル部材（連結部材）５１とこのアングル部材５１に固定され各ユニット構成体５の外周部及び天部を囲う外板体５３とを備えている。
【００１５】
アングル部材５１は、図１に示すように、室内ユニット１の長手方向に略平行に延在している。このアングル部材５１には、図４及び図５に示すように、ボルト５７を用いて各吊り金具４４が固定され、これによって２つのユニット構成体５がアングル部材５１に連結されている。一つのユニット構成体５に固定された４個の吊り金具４４のうちの、３個の吊り金具４４は、図５に示すように、アングル部材５１の下面５１ａに固定され、残りの一つの吊り金具４４Ａは、コ字状金具１００にボルト１０１で固定され、コ字状金具１００を介してアングル部材５１の上面５１ｂに固定されている。これによれば、ボルト５７が外れたとしても、吊り金具４４Ａが、アングル部材５１の上面５１ｂに引っかかるので、ユニット構成体５が室内側に落下することはない。
【００１６】
２つのアングル部材５１にてユニット構成体５が連結された後、図２及び図３に示すように、ユニット構成体５の外周部及び天部を囲う外板体５３に収納される。収納後、外板体５３はアングル部材５１にネジ等で固定される。アングル部材５１の夫々の両端部は外板体５３の外方に突出しており、この両端部には吊り金具６１が形成されている。室内ユニット１は天井からの吊りボルトに吊り金具６１を引っかけることにより天井に据え付けられる。
【００１７】
ケーシング３内には、図１に示すように各ユニット構成体５から導出された冷媒管（液管、ガス管の２本）８１，８３を収納するスペースが設けられている。一方のユニット構成体５から導出された冷媒管（液管、ガス管の２本）８１は、図中上方に導出され、外板体３内を図中時計回りに配管され、他方のユニット構成体５から導出された冷媒管８３は、図中下方に導出され、外板体３内を図中反時計回りに配管され、図中右下で夫々チーズ８５に接続された後、一本の冷媒管となってケーシング３から導出される。
【００１８】
各ユニット構成体５のドレン排水口には夫々外板体５３を貫通して導出されるドレン配管８７に接続される。
【００１９】
室内ユニット１の下面には図６にその平面図を示した化粧パネル７１が取り付けられる。化粧パネル７１には、各ユニット構成体５の吸込口に相当する位置に吸込口７３が設けられ、各ユニット構成体５の吹出口１８に相当する位置に吹出口７５が設けられている。吸込口７３にはエアフィルタが上面に載置される吸込グリル７６が着脱自在に取りつけられている。この吸込グリル７６はユニット構成体５を単独で使用する場合と同一のものが利用できる。
【００２０】
このようにして構成された室内ユニット１は工場で１０馬力の天井カセット形室内ユニットとして組立てて設置現場に輸送する際に大型であるため困難な場合は、２つのユニット構成体５とケーシング３とを別々に輸送し、設置現場で組み立てることができる。また、既に設置されている２台の５馬力の室内ユニットをユニット構成体５として使用して１０馬力の室内ユニットを構成することも可能である。
【００２１】
以上説明したように、この実施形態では、既存の５馬力のユニット構成体５を２台用いて１０馬力の天井カセット形室内ユニット１を構成できるので、部品の共通化及び開発期間の短縮が図れる。
【００２２】
また、この種の室内ユニット１を天井板のないショッピングセンター等の店舗に据え付ける場合には店舗のデザインに合わせた色のカラー鋼板などを外板体５３に用いることができる。
【００２３】
室内ユニット１としては、ドレンパンを２つ備え、各ドレンパンにドレン水を排水するためのドレンポンプ３０を備えているので、１つのドレンパンに１つの大型のドレンポンプを設けた場合に比べて、コストを削減することができる。
【００２４】
また、５馬力の各ユニット構成体５は、夫々がファンモータ２４とターボファン２６と熱交換器３８と電装箱３６等を備えているので、運転制御に関しては、例えば暖房低温運転時（立ち上がり時も含む。）に一方のユニット構成体５の熱交換器３８にのみ冷媒を流し、吹き出し温度を高く保つことにより、ドラフト（冷風感）を感じさせない制御が可能になり、夫々のファンモータ２４の回転数を制御することにより、空調性、ドラフト性の向上が可能になる。
【００２５】
以上、一実施形態に従って本発明を説明したが、本発明は、この実施形態に限定されるものではない。例えば、上記実施の形態では、四方向吹出型の天井カセット形空気調和機について説明したが、本発明はそれ以外の他の種類の空気調和機、例えば二方向吹出型の天井カセット形空気調和機にも適用が可能である。
【００２６】
【発明の効果】
本発明によれば、ユニット構成体に容量の小さい既存の機種の室内ユニットを利用することにより、室内ユニットの大容量化が簡単に達成される。これにより、部品の共通化が図れると共に開発期間を短縮できるので、製造コストを低減できる。
【図面の簡単な説明】
【図１】本発明による天井カセット形空気調和機の一実施形態を示す平面図である。
【図２】図１の側面図である。
【図３】図１の端面図である。
【図４】吊り金具の拡大図である。
【図５】図４の側面図である。
【図６】化粧パネルの平面図である。
【図７】ユニット構成体の平面図である。
【符号の説明】
１  室内ユニット
３  ケーシング
５  ユニット構成体
４４  吊り金具
５１  アングル部材（連結部材）
５３  外板体
６１  第２吊り金具
７１  化粧パネル
【図１】
0003695916.tif 000002
【図２】
0003695916.tif 000003
【図３】
0003695916.tif 000004
【図４】
0003695916.tif 000005
【図５】
0003695916.tif 000006
【図６】
0003695916.tif 000007
【図７】
0003695916.tif 000008